(57)【特許請求の範囲】
【請求項１】
複数の色相ＬＥＤを含む複数のＬＥＤブロックと；、
所定の色相のデータ及び前記ＬＥＤブロックの位置の表示空間内の座標データを格納するメモリ；そして、
前記ＬＥＤブロックを用いた文字完成機能を提供するコントローラー；
を含み、
前記コントローラーは前記メモリから前記色相のデータ及び前記ＬＥＤブロックの前記座標データを読込み当該所定の前記色相の前記データから色空間による色相演算が可能であり、前記座標データを合わせ当該ＬＥＤブロックの前記色相を決定可能であるコントローラであって、前記ＬＥＤブロックに点灯文字の表示のための文字表示信号及び前記所定の色相のデータを伝送することによって、前記ＬＥＤブロックによって文字を前記所定の色相で点灯状態に表示可能であって前記ＬＥＤブロックは、使用者の接触を感知する接触感知センサーを備え、前記文字表示信号と関連するＬＥＤブロックがクリックされると、前記接触感知センサーによってクリックされた当該ＬＥＤブロックから接触データを受信可能であり、前記所定の色相のデータ及び前記ＬＥＤブロックの前記座標データ、そして当該接触データから新たな所定の色相を演算決定可能であって、当該新たな色相への変更のための第１の色相変更信号を伝送し、前記文字表示信号と関連するＬＥＤブロックの色相が全て変更されると、アラート信号を出力可能であることを特徴とする教育機能を提供するＬＥＤブロックディスプレイ装置。
【請求項２】
前記接触感知センサーは、前記使用者の接触回数及び接続時間のうち少なくとも一つを用いて接触データを生成可能であり、
前記コントローラーは、前記文字表示信号と関連するＬＥＤブロックのクリック時、前記の生成された接触データに従って互いに異なる色相への変更のための第２の色相変更信号を演算生成可能であり、当該第２の色相変更信号をクリックされた当該ＬＥＤブロックに伝送可能であることを特徴とする、請求項１に記載の教育機能を提供するＬＥＤブロックディスプレイ装置。
【請求項３】
前記アラート信号は、音及び色相効果、または文字音表出に関する信号を含むことを特徴とする、請求項１または２に記載の教育機能を提供するＬＥＤブロックディスプレイ装置。
【請求項４】
前記文字完成まで時間制限処理機能を提供するタイマーをさらに含むことを特徴とする、請求項１または２に記載の教育機能を提供するＬＥＤブロックディスプレイ装置。
【請求項５】
請求項１または２に記載の教育機能を提供するＬＥＤブロックディスプレイ装置の制御方法であって、
前記ＬＥＤブロックに点灯文字の表示のための文字表示信号を伝送することによって、前記ＬＥＤブロックによって文字が点灯状態に表示されるようにするステップ；
前記文字表示信号と関連するＬＥＤブロックがクリックされると、前記のクリックされたＬＥＤブロックに色相変更のための第１の色相変更信号を伝送し、前記のクリックされたＬＥＤブロックの色相を変更するステップ；及び
前記文字表示信号と関連するＬＥＤブロックの色相が全て変更されると、アラート信号を出力するステップ；を含むことを特徴とする教育機能を提供するＬＥＤブロックディスプレイ装置の制御方法。
【請求項６】
請求項１または２に記載の教育機能を提供するＬＥＤブロックディスプレイ装置の制御方法であって、
前記ＬＥＤブロックに点灯（点滅）文字の表示のための文字表示信号を伝送することによって、前記ＬＥＤブロックによって文字が点灯（点滅）状態に表示されるようにするステップ；
設定時間後に、前記点灯（点滅）文字の表示終了のための文字表示終了信号を前記ＬＥＤブロックに伝送し、前記文字表示信号と関連するＬＥＤブロックの点灯（点滅）を解除するステップ；
前記文字表示信号と関連するＬＥＤブロックがクリックされると、前記のクリックされたＬＥＤブロックに点灯信号を伝送し、前記のクリックされたＬＥＤブロックを点灯させるステップ；及び
前記文字表示信号と関連するＬＥＤブロックが全て点灯されると、アラート信号を出力するステップ；を含むことを特徴とする教育機能を提供するＬＥＤブロックディスプレイ装置の制御方法。
【請求項７】
前記ＬＥＤブロックに含まれた接触感知センサーによる感知信号に基づいて、前記文字表示信号と関連するＬＥＤブロックのクリック有無を判断するステップをさらに含むことを特徴とする、請求項５または６に記載の教育機能を提供するＬＥＤブロックディスプレイ装置の制御方法。
【請求項８】
複数のＬＥＤブロック及びコントローラーを含むＬＥＤブロックディスプレイ装置の制御方法であって、
所定の色相のデータ及び前記ＬＥＤブロックの位置の表示空間内の座標データをメモリから読み出すステップ；
前記色相データに前記座標データを合わせ、色空間による色相演算によって当該ＬＥＤブロックの前記色相を演算決定するステップ；
前記ＬＥＤブロックに点灯文字の表示のための文字表示信号及び前記色相のデータを伝送することによって、前記ＬＥＤブロックによって文字が点灯状態に表示されるようにするステップ；
前記文字表示信号と関連するＬＥＤブロックがクリックされると、前記ＬＥＤブロックは、使用者の接触を感知する接触感知センサーによってクリックされた当該ＬＥＤブロックから接触データを受信するステップ；
前記所定の色相のデータ、前記ＬＥＤブロックの前記座標データ及び前記接触データから新たな所定の色相を演算決定するステップ；
前記のクリックされたＬＥＤブロックに色相変更のための第１の色相変更信号を伝送し、前記のクリックされたＬＥＤブロックの色相を変更するステップ；及び
前記文字表示信号と関連するＬＥＤブロックの色相が全て変更されると、アラート信号を出力するステップ；を含むことを特徴とする教育機能を提供するＬＥＤブロックディスプレイ装置の制御方法。
【請求項９】
前記文字表示信号と関連するＬＥＤブロックのクリック時、前記接触感知センサーによって生成された接触データに従って、前記のクリックされたＬＥＤブロックに互いに異なる色相への変更のための第２の色相変更信号を伝送し、前記のクリックされたＬＥＤブロックの色相を前記接続データ別に互いに異なる色相に変更するステップをさらに含むことを特徴とする、請求項８に記載の教育機能を提供するＬＥＤブロックディスプレイ装置の制御方法。
【請求項１０】
前記ＬＥＤブロックの色相空間には、レッド、グリーン、ブルー、イエロー、アンバー及びバイオレットのうち少なくとも３種を含む請求項１または２に記載の教育機能を提供するＬＥＤブロックディスプレイ装置。
【発明の詳細な説明】
【技術分野】
【０００１】
本発明の各実施例は、ディスプレイ装置に関し、より詳細には、教育機能を提供するＬＥＤブロックディスプレイ装置及びその制御方法に関する。
【背景技術】
【０００２】
発光ダイオード（Ｌｉｇｈｔ  Ｅｍｉｔｔｉｎｇ  Ｄｉｏｄｅ、ＬＥＤ）は、電子と正孔との結合による発光現象を利用して光を発生させる半導体素子である。ＬＥＤのチップ材料としては、ＧａＮ、ＧａＡｓ、ＧａＰ、ＧａＡｓＰ、ＧａＡｌＡｓ、ＳｉＣ、ＩｎＰ、ＩｎＧａＰなどの化合物半導体が使用される。ＬＥＤは、高いエネルギー効率、低い動作電圧、小型、長寿命などの長所を有する。
【０００３】
関連先行技術としては、韓国登録特許公報第０９１５１１８号（発明の名称：モジュール式ＬＥＤディスプレイブロック、登録日：２００９年８月２６日）がある。
【発明の概要】
【発明が解決しようとする課題】
【０００４】
本発明の一実施例は、ＬＥＤブロックを用いて教育機能を提供するＬＥＤブロックディスプレイ装置及びその制御方法を提供する。
【０００５】
本発明が解決しようとする課題は、以上で言及した課題に制限されなく、言及していない他の課題は、下記の記載から当業者に明確に理解されるだろう。
【課題を解決するための手段】
【０００６】
本発明の一実施例に係る教育機能を提供するＬＥＤブロックディスプレイ装置は、複数の色相ＬＥＤを含む複数のＬＥＤブロック；及び前記ＬＥＤブロックを用いた文字完成機能を提供するコントローラー；を含み、前記コントローラーは、前記ＬＥＤブロックに点灯文字の表示のための文字表示信号を伝送することによって、前記ＬＥＤブロックによって文字が点灯状態に表示されるようにし、前記文字表示信号と関連するＬＥＤブロックがクリックされると、前記のクリックされたＬＥＤブロックに色相変更のための第１の色相変更信号を伝送し、前記文字表示信号と関連するＬＥＤブロックの色相が全て変更されると、アラート信号を出力する。
【０００７】
本発明の他の実施例に係る教育機能を提供するＬＥＤブロックディスプレイ装置は、複数の色相ＬＥＤを含む複数のＬＥＤブロック；及び前記ＬＥＤブロックを用いた文字完成機能を提供するコントローラー；を含み、前記コントローラーは、前記ＬＥＤブロックに点灯（点滅）文字の表示のための文字表示信号を伝送し、設定時間後に前記点灯（点滅）文字の表示終了のための文字表示終了信号を前記ＬＥＤブロックに伝送することによって前記文字表示信号と関連するＬＥＤブロックの点灯（点滅）を解除し、前記文字表示信号と関連するＬＥＤブロックがクリックされると、前記のクリックされたＬＥＤブロックに点灯信号を伝送し、前記文字表示信号と関連するＬＥＤブロックが全て点灯されると、アラート信号を出力することができる。
【０００８】
前記ＬＥＤブロックは、使用者の接触を感知する接触感知センサーをさらに含み、前記コントローラーは、前記接触感知センサーから感知信号を受信し、前記の受信された感知信号に基づいて前記文字表示信号と関連するＬＥＤブロックのクリック有無を判断することができる。
【０００９】
前記接触感知センサーは、前記使用者の接触回数及び接続時間のうち少なくとも一つを用いて接触データを生成し、前記コントローラーは、前記文字表示信号と関連するＬＥＤブロックのクリック時、前記の生成された接触データに従って互いに異なる色相への変更のための第２の色相変更信号を、前記のクリックされたＬＥＤブロックに伝送することができる。
【００１０】
前記アラート信号は、音及び色相効果、または文字音表出に関する信号を含んでもよい。
【００１１】
本発明の各実施例に係る教育機能を提供するＬＥＤブロックディスプレイ装置は、前記文字完成まで時間制限処理機能を提供するタイマーをさらに含んでもよい。
【００１２】
本発明の一実施例に係る教育機能を提供するＬＥＤブロックディスプレイ装置の制御方法は、前記ＬＥＤブロックに点灯文字の表示のための文字表示信号を伝送することによって、前記ＬＥＤブロックによって文字が点灯状態に表示されるようにするステップ；前記文字表示信号と関連するＬＥＤブロックがクリックされると、前記のクリックされたＬＥＤブロックに色相変更のための第１の色相変更信号を伝送し、前記のクリックされたＬＥＤブロックの色相を変更するステップ；及び前記文字表示信号と関連するＬＥＤブロックの色相が全て変更されると、アラート信号を出力するステップ；を含む。
【００１３】
本発明の他の実施例に係る教育機能を提供するＬＥＤブロックディスプレイ装置の制御方法は、前記ＬＥＤブロックに点灯（点滅）文字の表示のための文字表示信号を伝送することによって、前記ＬＥＤブロックによって文字が点灯（点滅）状態に表示されるようにするステップ；設定時間後に、前記点灯（点滅）文字の表示終了のための文字表示終了信号を前記ＬＥＤブロックに伝送し、前記文字表示信号と関連するＬＥＤブロックの点灯（点滅）を解除するステップ；前記文字表示信号と関連するＬＥＤブロックがクリックされると、前記のクリックされたＬＥＤブロックに点灯信号を伝送し、前記のクリックされたＬＥＤブロックを点灯させるステップ；及び前記文字表示信号と関連するＬＥＤブロックが全て点灯されると、アラート信号を出力するステップ；を含む。
【００１４】
本発明の各実施例に係る教育機能を提供するＬＥＤブロックディスプレイ装置の制御方法は、前記ＬＥＤブロックに含まれた接触感知センサーによる感知信号に基づいて、前記文字表示信号と関連するＬＥＤブロックのクリック有無を判断するステップをさらに含んでもよい。
【００１５】
本発明の各実施例に係る教育機能を提供するＬＥＤブロックディスプレイ装置の制御方法は、前記文字表示信号と関連するＬＥＤブロックのクリック時、前記接触感知センサーによって生成された接触データに従って、前記のクリックされたＬＥＤブロックに互いに異なる色相への変更のための第２の色相変更信号を伝送し、前記のクリックされたＬＥＤブロックの色相を前記接続データ別に互いに異なる色相に変更するステップをさらに含んでもよい。
【００１６】
その他の実施例の具体的な事項は、詳細な説明及び添付の図面に含まれている。
【００１７】
本発明の利点及び／または特徴、そして、それらを達成する方法は、添付の図面と共に詳細に説明している各実施例を参照すれば明確になるだろう。しかし、本発明は、以下で開示する各実施例に限定されるものではなく、互いに異なる多様な形態に具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたって同一の参照符号は、同一の構成要素を称する。
【発明の効果】
【００１８】
本発明の一実施例によると、ＬＥＤブロックを用いて教育機能を提供することができる。
【図面の簡単な説明】
【００１９】
【図１】本発明の一実施例に係る教育機能を提供するＬＥＤブロックディスプレイ装置の斜視図である。
【図２ａ】本発明の一実施例におけるＬＥＤブロックモジュールを例示的に示した斜視図及び側面図である。
【図２ｂ】本発明の一実施例における２次元形態で結合される各ブロックモジュールを例示的に示した斜視図である。
【図２ｃ】本発明の一実施例における３次元形態で結合される各ブロックモジュールを例示的に示した斜視図である。
【図３】本発明の一実施例によってＬＥＤブロックディスプレイ装置を用いた教育機能を提供する一例を示した図である。
【図４】本発明の他の実施例に係る教育機能を提供するＬＥＤブロックディスプレイ装置の斜視図である。
【図５ａ】本発明の一実施例におけるコントローラー及びＬＥＤブロックモジュール一体型のＬＥＤブロックディスプレイ装置の機能を概略的に示したブロック図である。
【図５ｂ】本発明の一実施例におけるコントローラー及びＬＥＤブロックモジュール分離型のＬＥＤブロックディスプレイ装置の機能を概略的に示したブロック図である。
【図５ｃ】本発明の他の実施例におけるコントローラー及びＬＥＤブロックモジュール分離型のＬＥＤブロックディスプレイ装置の機能を概略的に示したブロック図である。
【図５ｄ】本発明の一実施例におけるＬＥＤブロックモジュールの配置形態を概略的に示したブロック図である。
【図６】本発明の一実施例に係る教育機能を提供するＬＥＤブロックディスプレイ装置の制御方法を説明するために示したフローチャートである。
【図７】本発明の他の実施例に係る教育機能を提供するＬＥＤブロックディスプレイ装置の制御方法を説明するために示したフローチャートである。
【発明を実施するための形態】
【００２０】
以下では、添付の図面を参照して本発明の各実施例を詳細に説明する。
【００２１】
図１は、本発明の一実施例に係る教育機能を提供するＬＥＤブロックディスプレイ装置の斜視図である。
【００２２】
図１を参照すると、本発明の一実施例に係るＬＥＤブロックディスプレイ装置１００は、少なくとも一つのＬＥＤブロック１１０、コントローラー（図示せず）、操作部１４０、表示部１５０、バッテリー（図示せず）、及び音響送出部（図示せず）を含むことができる。
【００２３】
ＬＥＤブロック１１０には、レッドＬＥＤ、グリーンＬＥＤ及びブルーＬＥＤのうち少なくとも一つが設置されてもよい。また、ＬＥＤブロック１１０には、レッドＬＥＤ、グリーンＬＥＤ、ブルーＬＥＤのみならず、例えば、イエロー、アンバー、バイオレットなどの多様な色相の光を表出するＬＥＤが多様な組み合わせで設置されてもよい。また、ＬＥＤブロック１１０には、使用者の接触を感知する接触感知センサー（図示せず）が設置されてもよい。
【００２４】
複数のＬＥＤブロック１１０は、図２ａに例示的に示したようなＬＥＤブロックモジュール１２０をなすように配列されてもよい。また、これと異なって、ＬＥＤブロックモジュール１２０は、図２ｂに例示的に示したように２次元形態で他のブロックモジュール１２０と結合されてもよく、図２ｃに例示的に示したように３次元形態で他のブロックモジュール１２０と結合されてもよい。
【００２５】
コントローラーは、ＬＥＤブロック１１０に設置されるＬＥＤの点灯を制御することによって、表出される光の色相を調節する。また、コントローラーは、複数のＬＥＤブロック１１０を用いて文字完成機能を含む教育機能を提供する。このために、コントローラーは、ＬＥＤブロック１１０の点灯、点灯終了、色相変更などの動作を制御することができる。コントローラーは、２つの方式で教育機能を提供することができる。
【００２６】
まず、第１の方式は、次の通りである。
【００２７】
コントローラーは、ＬＥＤブロック１１０に点灯文字の表示のための文字表示信号を伝送することによって、ＬＥＤブロック１１０によって文字が点灯状態に表示されるようにする。例えば、図３に示したように、ＬＥＤブロック１１０に
0005989224.tif 000002
を点灯文字として表示するために、コントローラーは、
0005989224.tif 000003
に関する点灯文字表示のための文字表示信号をＬＥＤブロック１１０に伝送する。
【００２８】
コントローラーは、文字表示信号と関連するＬＥＤブロック１１０がクリックされると、クリックされたＬＥＤブロック１１０に色相変更のための第１の色相変更信号を伝送する。このとき、コントローラーは、接触感知センサーから感知信号を受信し、前記の受信された感知信号に基づいて前記文字表示信号と関連するＬＥＤブロック１１０のクリック有無を判断することができる。ここで、コントローラーは、文字表示信号と関連するＬＥＤブロック１１０がクリックされず、他のＬＥＤブロック１１０がクリックされると、クリックミス（ｃｌｉｃｋ  ｍｉｓｔａｋｅ）を知らせるための警報信号（無音、特定ベル音：ボタンクリック時の音とは区別される音）を出力することができる。
【００２９】
コントローラーは、前記文字表示信号と関連するＬＥＤブロック１１０の色相が全て変更されると、アラート信号を出力する。すなわち、コントローラーは、前記文字表示信号と関連するＬＥＤブロック１１０が全てクリックされると、アラート信号を出力する。ここで、アラート信号は、音及び色相効果、または文字音表出に関する信号を含んでもよい。
【００３０】
一方、接触感知センサーは、使用者の接触回数及び接続時間のうち少なくとも一つを用いて接触データを生成することができる。コントローラーは、文字表示信号と関連するＬＥＤブロック１１０のクリック時、接触データに従って互いに異なる色相への変更のための第２の色相変更信号を、クリックされたＬＥＤブロック１１０に伝送することができる。これによって、クリックされたＬＥＤブロック１１０は、使用者の接触回数及び接続時間によって互いに異なる色相に変更することができる。
【００３１】
次に、第２の方式は、次の通りである。
【００３２】
コントローラーは、ＬＥＤブロック１１０に点灯（点滅）文字の表示のための文字表示信号を伝送する。コントローラーは、設定時間後に、点灯（点滅）文字の表示終了のための文字表示終了信号をＬＥＤブロック１１０に伝送し、文字表示信号と関連するＬＥＤブロック１１０の点灯（点滅）を解除する。コントローラーは、文字表示信号と関連するＬＥＤブロック１１０がクリックされると、クリックされたＬＥＤブロック１１０に点灯信号を伝送し、文字表示信号と関連するＬＥＤブロック１１０が全て点灯されると、アラート信号を出力する。
【００３３】
操作部１４０は、使用者の操作信号をコントローラーに伝達し、好ましくは複数のボタン、ダイヤルを含んでもよい。
【００３４】
表示部１５０は、操作情報、表示状態、案内情報などを表示することができる。
【００３５】
本実施例において、操作部１４０及び表示部１５０のうち少なくとも一つは省略可能である。
【００３６】
バッテリーは、本発明の一実施例に係るＬＥＤブロックディスプレイ装置１００に電力を印加する部分であって、外部から電力が印加される場合は省略可能である。
【００３７】
音響送出部は、ＬＥＤブロック１１０に表出される光の色相調節に相応して所定の音響を外部に送出する。
【００３８】
図１に示したように、コントローラー、操作部１４０、表示部１５０、バッテリー、及び音響送出部のうち少なくとも一つは、少なくとも一つのＬＥＤブロック１１０または少なくとも一つのＬＥＤブロックモジュール１２０と一体型に製作されてもよい。
【００３９】
併せて、図４に示したように、コントローラー、操作部１４０、表示部１５０、バッテリー１６０、及び音響送出部のうち少なくとも一つは、少なくとも一つのＬＥＤブロック１１０または少なくとも一つのＬＥＤブロックモジュール１２０と分離可能な形態に製作されてもよい。
【００４０】
さらに、本発明の一実施例に係るＬＥＤブロックディスプレイ装置１００は、図面には示していないが、タイマーをさらに含んでもよい。タイマーは、文字の完成時まで時間制限処理機能を提供することができる。また、タイマーは、コントローラーによって文字表示信号が伝送される時点からアラート信号が出力される時点までの時間（すなわち、文字完成時間）を測定することができる。コントローラーは、タイマーによって測定された時間が制限設定時間を超える場合、時間超過を知らせる警報信号を出力することができる。
【００４１】
一方、本発明の一実施例に係るＬＥＤブロックディスプレイ装置１００は、ＬＥＤブロック１１０を用いて文字を完成するとき（文字を書くとき）に画の順序及び方向をチェックする機能、音を聞かせると、その音を受け取り、ＬＥＤブロックを通じて点灯文字を表示することによって該当の文字を書かせる機能、座標が少し誤っていても形状が同一だと文字と認識する機能、特定の画を予め見せるか、迅速に全体の文字を見せる方式でヒントを与える機能などを提供することができる。
【００４２】
図５ａは、本発明の一実施例におけるコントローラー及びＬＥＤブロックモジュール一体型のＬＥＤブロックディスプレイ装置の機能を概略的に示したブロック図で、図５ｂは、本発明の一実施例におけるコントローラー及びＬＥＤブロックモジュール分離型のＬＥＤブロックディスプレイ装置の機能を概略的に示したブロック図である。
【００４３】
図５ａ及び図５ｂを参照すると、コントローラー１３０は、個別ＬＥＤブロック１１０に相応して個別的に設置されてもよく、個別ＬＥＤブロックモジュール１２０に相応して個別的に設置されてもよい。また、コントローラー１３０は、複数のＬＥＤブロックモジュール１２０に相応して個別的に設置されてもよく、複数のＬＥＤブロック１１０全体に相応して単独で設置されてもよい。
【００４４】
コントローラー１３０は、ＬＥＤブロック１１０から使用者の接触に従って接触感知センサーが感知した接触データを受け取ることができる。コントローラー１３０は、ＬＥＤブロック１１０から入力される接触データに基づいて生成される色相データを用いて、定電流ＩＣ１１２を経由してＬＥＤブロック１１０から表出される光の色相を調節することができる。図面において、定電流ＩＣ１１２は、スタティック方式で点灯する場合を示しているが、これに限定されることはなく、ダイナミック方式で点灯することもある。
【００４５】
コントローラー１３０は、色相が調節された光がＬＥＤブロック１１０から表出されるように調節すると同時に、音響送出部が所定の音響を外部に送出するように制御することができる。コントローラー１３０は、接触データに基づいて主要色相を調節した状態で、操作部１４０に含まれる色相調節キー１４２から入力される微細調整データに基づいて主要色相が微細に調整される光がＬＥＤブロック１１０から表出されるように調節することができる。
【００４６】
また、コントローラー１３０は、使用者によるＬＥＤブロック１１０の接触に従う接触回数に基づいて主要色相を調節し、接触時間に基づいて主要色相を微細に調節することができる。また、コントローラー１３０は、主要色相が微細に調整された光がＬＥＤブロック１１０から表出されるように調節すると同時に、音響送出部が所定の音響を外部に送出するように制御することができる。
【００４７】
本発明の一実施例に係るＬＥＤブロックディスプレイ装置１００は、メモリ１３２をさらに含んでもよい。メモリ１３２は、着脱式メモリカードであってもよい。メモリ１３２は、コントローラー１３０に内蔵されてもよい。ＬＥＤブロック１１０から表出された光に相応する色相データは、メモリ１３２に保存されてもよい。メモリ１３２に保存される色相データは、修正または編集が可能であり、コントローラー１３０によって読み出されて使用されてもよい。色相データは、通信装置（図示せず）を介して外部から受け取るか、外部に伝達されてもよい。コントローラー１３０が複数のＬＥＤブロック１１０を制御する場合、色相データは、特定ＬＥＤブロック１１０の位置に関するブロック座標データと連結されて送受信されてもよい。
【００４８】
図５ｃは、本発明の他の実施例におけるコントローラー及びＬＥＤブロックモジュール分離型のＬＥＤブロックディスプレイ装置の機能を概略的に示したブロック図である。
【００４９】
図５ｃを参照すると、ＬＥＤブロックモジュールセクション別にＬＥＤブロックモジュール１２０を制御するサブコントローラー１３４及びメモリ１３７が別途に設置され、全体のＬＥＤブロックモジュールセクションを制御するコントローラーセクションにメーンコントローラー１３６、メモリ１３８及び色相調節キー１４２が設置されてもよい。
【００５０】
サブコントローラー１３４は、ＬＥＤブロック１１０から使用者の接触に従って接触感知部が感知した接触データを受け取ることができる。サブコントローラー１３４は、ＬＥＤブロック１１０から入力される接触データに基づいて生成される色相データを用いて、定電流ＩＣ１１２を経由してメーンコントローラー１３６から入力されるディスプレイデータに従ってＬＥＤブロック１１０から表出される光の色相を調節することができる。サブコントローラー１３４は、色相が調節された光がＬＥＤブロック１１０から表出されるように調節すると同時に、音響送出部が所定の音響を外部に送出するように制御することができる。
【００５１】
サブコントローラー１３４は、接触データに基づいて主要色相を調節した状態で、コントローラーセクションに含まれる色相調節キー１４２から入力される微細調整データに基づいて主要色相が微細に調整される光がＬＥＤブロック１１０から表出されるように調節することができる。また、サブコントローラー１３４は、使用者によるＬＥＤブロック１１０の接触に従う接触回数に基づいて主要色相を調節し、接触時間に基づいて主要色相を微細に調節することができる。また、サブコントローラー１３４は、主要色相が微細に調整された光がＬＥＤブロック１１０から表出されるように調節すると同時に、音響送出部が所定の音響を外部に送出するように制御することができる。
【００５２】
メモリ１３７は着脱式メモリカードであってもよい。メモリ１３７は、サブコントローラー１３４に内蔵されてもよい。ＬＥＤブロック１１０に表出された光に相応するディスプレイデータ及び／または色相データは、メモリ１３７に保存されてもよい。メモリ１３７に保存されるディスプレイデータ及び／または色相データは、修正または編集が可能であり、サブコントローラー１３４によって読み出されて使用されてもよい。色相データは、ＬＥＤブロックモジュール１２０の連結関係に関するリンクデータと共に、サブコントローラー１３４によってコントローラーセクションのメーンコントローラー１３６に伝達されてもよい。
【００５３】
メーンコントローラー１３６は、それぞれのＬＥＤブロックモジュールセクション別にディスプレイされる内容、形式などを含むディスプレイデータを各ＬＥＤブロックモジュールセクション別のサブコントローラー１３４に伝送する。ディスプレイデータは、サブコントローラー１３４がＬＥＤブロック１１０から入力される接触データに基づいて生成する色相データが含まれないように構成されてもよい。また、ディスプレイデータは、色相調節キー１４２から入力される微細調整データをさらに含んでもよい。
【００５４】
メーンコントローラー１３６は、それぞれのＬＥＤブロックモジュール別のディスプレイデータであるモジュールディスプレイデータと特定ＬＥＤブロックモジュール１２０の位置に関するブロックモジュール座標データを連結してメモリ１３８に保存したり、これらをメモリ１３８から読み出すことができる。また、メーンコントローラー１３６は、少なくとも一つのＬＥＤブロックを含むＬＥＤブロックディスプレイ装置で表出されたコンテンツであるディスプレイデータをメモリ１３８に保存することができる。また、メーンコントローラー１３６は、少なくとも一つのＬＥＤブロックを含むＬＥＤブロックディスプレイ装置で表出されるディスプレイデータを修正または編集する機能を提供することができる。ディスプレイデータに対する修正または編集機能は、ディスプレイデータに多様なイベント効果を付加する機能を含んでもよい。本発明に係るＬＥＤブロックディスプレイ装置で表出または生成されるコンテンツであるディスプレイデータは、通信装置（図示せず）を介して外部から受け取ったり、外部に伝達されてもよい。
【００５５】
図５ｄは、本発明の一実施例におけるＬＥＤブロックモジュールの配置形態を概略的に示したブロック図である。
【００５６】
図５ｄを参照すると、実際の各ＬＥＤブロックモジュールが四角形状に配列されていない場合、コントローラーは、仮想のＬＥＤブロックモジュールを追加することによって、実際の各ＬＥＤブロックモジュールに対する正確な位置を識別することができる。本実施例において、実際の各ＬＥＤブロックモジュールは、双方向通信が可能になるように構成され、このような通信機能を通じて、それぞれの実際の各ＬＥＤブロックモジュールは、自分の識別情報をコントローラーに伝達することができる。コントローラーは、それぞれの実際のＬＥＤブロックモジュールに相応する識別情報に基づいて仮想の各ＬＥＤブロックモジュールを追加することによって、仮想の四角形状に実際のＬＥＤブロックモジュールと仮想のＬＥＤブロックモジュールを配置して区分し、それぞれのＬＥＤブロックモジュールに対する正確な位置を識別する。
【００５７】
図６は、本発明の一実施例に係る教育機能を提供するＬＥＤブロックディスプレイ装置の制御方法を説明するために示したフローチャートである。
【００５８】
図６を参照すると、ステップ（６１０）において、ＬＥＤブロックは点灯文字を表示する。このために、コントローラーは、ＬＥＤブロックに点灯文字の表示のための文字表示信号を伝送する。
【００５９】
次に、ステップ（６２０）において、使用者は、ＬＥＤブロックをクリック（タッチ）する。
【００６０】
このとき、使用者が文字表示ブロック（文字表示信号と関連するＬＥＤブロック）をクリックした場合（６３０の"はい"方向）、ステップ（６４０）において、コントローラーは、クリックされたＬＥＤブロックの色相を変更する。このために、コントローラーは、クリックされたＬＥＤブロックに色相変更のための第１の色相変更信号を伝送する。
【００６１】
このとき、使用者が文字表示ブロックをクリックしていない場合（６３０の"いいえ"方向）、使用者はＬＥＤブロックを再びクリックする。
【００６２】
次に、使用者が点灯文字ブロック（文字表示信号と関連するＬＥＤブロック）を全てクリックした場合（６５０の"はい"方向）、ステップ（６６０）において、コントローラーは、音及び色相効果または文字音表出などのアラート信号を出力する。このとき、使用者が点灯文字ブロックを全てクリックしていない場合（６５０の"いいえ"方向）、使用者はＬＥＤブロックを再びクリックする。
【００６３】
図７は、本発明の他の実施例に係る教育機能を提供するＬＥＤブロックディスプレイ装置の制御方法を説明するために示したフローチャートである。
【００６４】
図７を参照すると、ステップ（７１０）において、ＬＥＤブロックは、点灯（点滅）文字を表示する。このために、コントローラーは、ＬＥＤブロックに点灯（点滅）文字の表示のための文字表示信号を伝送する。
【００６５】
次に、ステップ（７２０）において、ＬＥＤブロックは、文字点灯表示を終了する。このために、コントローラーは、ＬＥＤブロックに点灯（点滅）文字の表示終了のための文字表示終了信号を伝送する。
【００６６】
次に、ステップ（７３０）において、使用者は、ＬＥＤブロックをクリック（タッチ）する。
【００６７】
このとき、使用者が文字表示ブロック（文字表示信号と関連するＬＥＤブロック）をクリックした場合（７４０の"はい"方向）、ステップ（７５０）において、コントローラーは、クリックされたＬＥＤブロックを点灯させる。このために、コントローラーは、クリックされたＬＥＤブロックに点灯信号を伝送する。
【００６８】
このとき、使用者が文字表示ブロックをクリックしていない場合（７４０の"いいえ"方向）、使用者はＬＥＤブロックを再びクリックする。
【００６９】
次に、使用者が文字表示ブロック（文字表示信号と関連するＬＥＤブロック）を全てクリックした場合（７６０の"はい"方向）、ステップ（７７０）において、コントローラーは、音及び色相効果または文字音表出などのアラート信号を出力する。このとき、使用者が文字表示ブロックを全てクリックしていない場合（７６０の"いいえ"方向）、使用者はＬＥＤブロックを再びクリックする。
【００７０】
本発明の各実施例は、多様なコンピューターで具現される動作を行うためのプログラム命令を含むコンピューター判読可能媒体を含む。前記コンピューター判読可能媒体は、プログラム命令、ローカルデータファイル、ローカルデータ構造などを単独でまたは組み合わせて含むことができる。前記媒体は、本発明のために特別に設計されて構成されたものであってもよく、コンピューターソフトウェア当業者に公知となっていて使用可能なものであってもよい。コンピューター判読可能記録媒体の例には、ハードディスク、フロッピー（登録商標）ディスク及び磁気テープなどの磁気媒体、ＣＤ―ＲＯＭ、ＤＶＤなどの光記録媒体、フロプティカルディスクなどの磁気―光媒体、及びＲＯＭ（Ｒｅａｄ  Ｏｎｌｙ  Ｍｅｍｏｒｙ）、ＲＡＭ、フラッシュメモリなどのプログラム命令を保存して遂行するように特別に構成されたハードウェア装置が含まれる。プログラム命令の例には、コンパイラーによって作られる機械語コードのみならず、インタプリターなどを使用してコンピューターによって実行可能な高級言語コードが含まれる。
【００７１】
以上では、本発明に係る具体的な実施例について説明したが、本発明の範囲から逸脱しない限度内で多様な変形が可能であることは当然である。そのため、本発明の範囲は、上述した実施例に限定して定めてはならなく、後述する特許請求の範囲のみならず、この特許請求の範囲と均等なものによって定めなければならない。
【００７２】
以上のように、本発明は、限定された実施例と図面によって説明したが、前記の実施例に限定されるものではなく、本発明の属する分野で通常の知識を有する者であれば、このような記載から実施例の多様な修正及び変形が可能である。したがって、本発明の思想は、下記に記載した特許請求の範囲によってのみ把握しなければならなく、その均等または等価的変形は、いずれも本発明の思想の範疇に属するものと言える。
【図１】
0005989224.tif 000004
【図２ａ】
0005989224.tif 000005
【図２ｂ】
0005989224.tif 000006
【図２ｃ】
0005989224.tif 000007
【図３】
0005989224.tif 000008
【図４】
0005989224.tif 000009
【図５ａ】
0005989224.tif 000010
【図５ｂ】
0005989224.tif 000011
【図５ｃ】
0005989224.tif 000012
【図５ｄ】
0005989224.tif 000013
【図６】
0005989224.tif 000014
【図７】
0005989224.tif 000015